(57)【特許請求の範囲】
【請求項１】
基台部と、該基台部に対して折り畳み可能に設けられた連接部と、該連接部に対して折り畳み可能に設けられ、その内側に電子機器を収容する蓋部と、該蓋部の内側に設けられ、収容された電子機器を支持する支持板部とを備え、電子機器を収容し、持ち運ぶ場合には、収容した電子機器を内側にして前記基台部と前記蓋部とを二つ折りに折り畳む一方、収容した電子機器を立たせる場合には、前記蓋部の連接部側となる部分を前記支持板部から離間させ、収容した電子機器を背面から支持するとともに、前記支持板部の下縁を前記基台部の上面に係止させる電子機器用ケースにおいて、
前記支持板部の下縁には、前記電子機器の下縁部の厚み寸法と略同一の奥行きを有し、該電子機器の下縁部が嵌るホルダが設けられ、
前記支持板部の下縁を前記基台部の上面が吸着するように、前記ホルダまたは前記基台部の上面部のいずれか一方に磁石を埋め込む一方、いずれか他方に前記磁石に吸着される被吸着体を埋め込んだことを特徴とする電子機器用ケース。
【請求項２】
前記蓋部は、前記連接部との境界となる境界線と平行に設けられた中折線を有し、収容した電子機器を立たせる場合には、前記中折線を境界に開放側となる部分が折り返され、連接部側となる部分が電子機器を背面から支持することを特徴とする請求項１に記載の電子機器用ケース。
【請求項３】
前記ホルダに前記磁石を設ける一方、前記基台部の上面部に前記被吸着体を設けたことを特徴とする請求項１または２に記載の電子機器用ケース。
【請求項４】
前記被吸着体が前記基台部と前記連接部の境界となる境界線と直交する方向に延びる帯状であることを特徴とする請求項３に記載の電子機器用ケース。
【請求項５】
前記被吸着体が鉄であることを特徴とする請求項１〜４のいずれか一つに記載の電子機器用ケース。
【請求項６】
前記基台部の上面に前記支持板部の下縁が係止される溝を形成したことを特徴とする請求項１〜５のいずれか一つに記載の電子機器用ケース。
【請求項７】
前記溝を複数設けたことを特徴とする請求項６に記載の電子機器用ケース。
【請求項８】
操作キーが設けられたキーボードと、該キーボードに対して折り畳み可能に設けられた連接部と、該連接部に対して折り畳み可能に設けられ、その内側に電子機器を収容する蓋部と、該蓋部の内側に設けられ、収容された電子機器を支持する支持板部とを備え、収容した電子機器を立たせる場合には、前記蓋部の連接部側となる部分を前記支持板部から離間させ、収容した電子機器を背面から支持するとともに、前記支持板部の下縁を前記キーボードの上面に係止させるキーボード装置において、
前記支持板部の下縁には、前記電子機器の下縁部の厚み寸法と略同一の奥行きを有し、該電子機器の下縁部が嵌るホルダが設けられ、
前記支持板部の下縁を前記キーボードの上面が吸着するように、前記ホルダまたは前記キーボードの上面部のいずれか一方に磁石を埋め込む一方、いずれか他方に前記磁石に吸着される被吸着体を埋め込んだことを特徴とするキーボード装置。
【請求項９】
前記蓋部は、前記連接部との境界となる境界線と平行に設けられた中折線を有し、収容した電子機器を立たせる場合には、前記中折線を境界に開放側となる部分が折り返され、連接部側となる部分が電子機器を背面から支持することを特徴とする請求項８に記載のキーボード装置。
【請求項１０】
前記ホルダに前記磁石を設ける一方、前記キーボードの上面部に前記被吸着体を設けたことを特徴とする請求項８または９に記載のキーボード装置。
【請求項１１】
前記被吸着体が前記キーボードと前記連接部の境界となる境界線と直交する方向に延びる帯状であることを特徴とする請求項１０に記載のキーボード装置。
【請求項１２】
前記被吸着体が鉄であることを特徴とする請求項８〜１１のいずれか一つに記載のキーボード装置。
【請求項１３】
前記キーボードの上面に前記支持板部の下縁が係止される溝を形成したことを特徴とする請求項８〜１２のいずれか一つに記載のキーボード装置。
【請求項１４】
前記溝を複数設けたことを特徴とする請求項１３に記載のキーボード装置。
【請求項１５】
前記ホルダは、前記電子機器の下縁部が嵌る下枠部分と、前記電子機器の下側両側縁部が嵌る一対の側枠部分とを有し、
前記磁石または前記被吸着体を前記下枠部分に埋め込んだことを特徴とする請求項１に記載の電子機器用ケース。
【請求項１６】
前記ホルダは、前記電子機器の下縁部が嵌る下枠部分と、前記電子機器の下側両側縁部が嵌る一対の側枠部分とを有し、
前記磁石または前記被吸着体を前記下枠部分に埋め込んだことを特徴とする請求項８に記載のキーボード装置。
【発明の詳細な説明】
【技術分野】
【０００１】
本発明は、電子機器用ケース及びキーボード装置に関し、特に、スタンドとしても兼用可能な電子機器用ケース及びキーボード装置に関する。
【背景技術】
【０００２】
タブレット型のパソコン（以下、「タブレット型ＰＣ」という）などの電子機器を持ち運ぶための電子機器用ケースであって、タブレット型ＰＣなどの電子機器を立たせるスタンドとしても兼用可能なものが公知となっている。スタンドとして兼用可能な電子機器用ケースは、基台部と、基台部に対して折り畳み可能に設けられた連接部と、連接部に対して折り畳み可能に設けられ、基台部と略同一の大きさを有する蓋部とを備えている。そして、上述した電子機器は、蓋部の内側に収容され、電子機器を持ち運ぶ際には、電子機器を内側にして、基台部と蓋部とを二つ折りに折り畳んで電子機器を保護する。一方、電子機器を立たせるスタンドとして機能させる場合には、蓋部の連設部側となる部分を電子機器から離間させ、収容した電子機器を背面から支持する側面視三角形となる支持構造を構築する。これにより、電子機器用ケースは、電子機器を立たせるスタンドとしても機能し、電子機器は立たせた状態で用いられることになる（たとえば、特許文献１参照）。
【先行技術文献】
【特許文献】
【０００３】
【特許文献１】特開２００６−２４１７８号公報
【発明の概要】
【発明が解決しようとする課題】
【０００４】
しかしながら、スタンドとしても兼用可能な電子機器用ケースに電子機器を収容し、電子機器を立てた状態で膝などの上で用いると、基台部が後ろ下がりとなり、電子機器が後ろ側に倒れたり、落下したりすることがあった。
【０００５】
本発明は、上記に鑑みてなされたものであって、電子機器を立てた状態で膝などの上で用いても電子機器が後ろ側に倒れたり、落下したりすることがないスタンドとして兼用可能な電子機器用ケース及びスタンドとして兼用可能なキーボード装置を提供することを目的とする。
【課題を解決するための手段】
【０００６】
上述した課題を解決し、目的を達成するために、本発明は、基台部と、該基台部に対して折り畳み可能に設けられた連接部と、該連接部に対して折り畳み可能に設けられ、その内側に電子機器を収容する蓋部と、該蓋部の内側に設けられ、収容された電子機器を支持する支持板部とを備え、電子機器を収容し、持ち運ぶ場合には、収容した電子機器を内側にして前記基台部と前記蓋部とを二つ折りに折り畳む一方、収容した電子機器を立たせる場合には、前記蓋部の連接部側となる部分を前記支持板部から離間させ、収容した電機機器を背面から支持するとともに、前記支持板部の下縁を前記基台部の上面に係止させる電子機器用ケースにおいて、前記支持板部の下縁には、前記電子機器の下縁部の厚み寸法と略同一の奥行きを有し、該電子機器の下縁部が嵌るホルダが設けられ、前記支持板部の下縁を前記基台部の上面が吸着するように、前記ホルダまたは前記基台部の上面部のいずれか一方に磁石を埋め込む一方、いずれか他方に前記磁石に吸着される被吸着体を埋め込んだことを特徴とする。
【０００７】
また、本発明は、上記発明において、前記蓋部が、前記連接部との境界となる境界線と平行に設けられた中折線を有し、収容した電子機器を立たせる場合には、前記中折線を境界に開放側となる部分が折り返され、連接部側となる部分が電子機器を背面から支持することを特徴とする。
【０００８】
また、本発明は、上記発明において、前記ホルダに前記磁石を設ける一方、前記基台部の上面部に前記被吸着体を設けたことを特徴とする。
【０００９】
また、本発明は、上記発明において、前記被吸着体が前記基台部と前記連接部の境界となる境界線と直交する方向に延びる帯状であることを特徴とする。
【００１０】
また、本発明は、上記発明において、前記被吸着体が鉄であることを特徴とする。
【００１１】
また、本発明は、上記発明において、前記基台部の上面に前記支持板部の下縁が係止される溝を形成したことを特徴とする。
【００１２】
また、本発明は、上記発明において、前記溝を複数設けたことを特徴とする。
【００１３】
また、本発明は、操作キーが設けられたキーボードと、該キーボードに対して折り畳み可能に設けられた連接部と、該連接部に対して折り畳み可能に設けられ、その内側に電子機器を収容する蓋部と、該蓋部の内側に設けられ、収容された電子機器を支持する支持板部とを備え、収容した電子機器を立たせる場合には、前記蓋部の連接部側となる部分を前記支持板部から離間させ、収容した電子機器を背面から支持するとともに、前記支持板部の下縁を前記キーボードの上面に係止させるキーボード装置において、前記支持板部の下縁には、前記電子機器の下縁部の厚み寸法と略同一の奥行きを有し、該電子機器の下縁部が嵌るホルダが設けられ、前記支持板部の下縁を前記キーボードの上面が吸着するように、前記ホルダまたは前記キーボードの上面部のいずれか一方に磁石を埋め込む一方、いずれか他方に前記磁石に吸着される被吸着体を埋め込んだことを特徴とする。
【００１４】
また、本発明は、上記発明において、前記蓋部が、前記連接部との境界となる境界線と平行に設けられた中折線を有し、前記表示部を立たせる場合には、前記中折線を境界に開放側となる部分が折り返され、連接部側となる部分が前記表示部を背面から支持することを特徴とする。
【００１５】
また、本発明は、上記発明において、前記ホルダに前記磁石を設ける一方、前記キーボードの上面部に前記被吸着体を設けたことを特徴とする。
【００１６】
また、本発明は、上記発明において、前記被吸着体が前記キーボードと前記連接部の境界となる境界線と直交する方向に延びる帯状であることを特徴とする。
【００１７】
また、本発明は、上記発明において、前記被吸着体が鉄であることを特徴とする。
【００１８】
また、本発明は、上記発明において、前記キーボードの上面に前記支持板部の下縁が係止される溝を形成したことを特徴とする。
【００１９】
また、本発明は、上記発明において、前記溝を複数設けたことを特徴とする。
【００２０】
また、本発明は、上記発明において、前記ホルダは、前記電子機器の下縁部が嵌る下枠部分と、前記電子機器の下側両側縁部が嵌る一対の側枠部分とを有し、前記磁石または前記被吸着体を前記下枠部分に埋め込んだことを特徴とする。
【発明の効果】
【００２７】
本発明にかかる電子機器用ケースは、支持板部の下縁を基台部の上面が吸着するように、支持板部の下縁部または基台部の上面部のいずれか一方に磁石を設ける一方、いずれか他方に磁石に吸着される被吸着体を設けたので、収容した電子機器を立てた状態で膝などの上で用いても後ろ側に倒れたり、落下したりすることがない。
【００２８】
本発明にかかるキーボード装置は、支持板部の下縁をキーボードの上面が吸着するように、支持板部の下縁部またはキーボードの上面部のいずれか一方に磁石を設ける一方、いずれか他方に磁石に吸着される被吸着体を設けたので、収容した電子機器を立てた状態で膝などの上で用いても後ろ側に倒れたり、落下したりすることがない。
【図面の簡単な説明】
【００３０】
【図１】図１は、タブレット型ＰＣを収容したタブレット型ＰＣ用ケースを示す図であって、タブレット型ＰＣの使用状態を示す斜視図である。
【図２】図２は、タブレット型ＰＣを収容したタブレット型ＰＣ用ケースを示す図であって、図１と異なる角度から見たタブレット型ＰＣの使用状態を示す斜視図である。
【図３】図３は、タブレット型ＰＣを収容したタブレット型ＰＣ用ケースを示す図であって、持ち運ぶための状態を示す図である。
【図４】図４は、図１に示したタブレット型ＰＣ用ケースを示す斜視図であって、タブレット型ＰＣを収容する前の状態を示す図である。
【図５】図５は、図４に示したタブレット型ＰＣ用ケースの構造を示す斜視図である。
【図６】図６は、基台部の上面部と支持板部の下縁部との関係を示す断面図である。
【発明を実施するための形態】
【００３１】
以下に、本発明にかかる電子機器用ケース及びキーボード装置の実施の形態を図面に基づいて詳細に説明する。なお、この実施の形態によりこの発明が限定されるものではない。
【００３２】
本発明の実施の形態である電子機器用ケースは、タブレット型ＰＣなどの電子機器を持ち運ぶための電子機器用ケースであって、タブレット型ＰＣなどの電子機器を立てるスタンドとしても兼用可能なものである。また、本発明の実施の形態である電子機器用ケースは、キーボード装置を備えており、タブレット型ＰＣなどの電子機器を立てるスタンドとしても兼用可能なキーボード装置でもある。ここでは、タブレット型ＰＣを収容したタブレット型ＰＣ用ケースを例に、電子機器用ケースおよびキーボード装置を説明する。
【００３３】
図１〜図３は、タブレット型ＰＣを収容したタブレット型ＰＣ用ケースを示す図であって、図１及び図２は、タブレット型ＰＣの使用状態を示す斜視図であり、図３は、タブレット型ＰＣを持ち運びための状態を示す図である。図４は、図１に示したタブレット型ＰＣ用ケースを示す斜視図であって、タブレット型ＰＣを収容する前の状態を示す図である。図５は、図４に示したタブレット型ＰＣ用ケースの構造を示す斜視図である。
【００３４】
図１〜図３に示すように、タブレット型ＰＣ用ケース１は、基台部２と、基台部２に対して折り畳み可能に設けられた連接部３と、連接部３に対して折り畳み可能に設けられ、その内側にタブレット型ＰＣ１００を収容する一方、その中程やや連接部側に中折線４１が設けられた蓋部４と、蓋部４の内側に設けられ、収容されたタブレット型ＰＣを支持する支持板部５とを備えている。
【００３５】
図１及び図２に示すように、基台部２は、タブレット型ＰＣ用ケース１に収容されたタブレット型ＰＣ１００を使用する場合に、机の上や膝の上に載せられる部分であり、収容するタブレット型ＰＣ１００と略同一の大きさの矩形形状を有している。また、本発明の実施の形態であるタブレット型ＰＣ用ケース１の基台部２は、その上面手前側に操作キー２１が設けられ、キーボードとしても機能する。また、図５に示すように、基台部２の上面奥側には、タブレット型ＰＣ１００を立たせるための溝２２が設けてある。溝２２は、基台部２の左側縁から右側縁にわたり設けたＶ溝であり、支持板部５の下縁が係止される。また、溝２２は、複数設けてあり、任意の溝２２を選択し、選択した溝２２に支持板部５の下縁を係止させることにより、タブレット型ＰＣ１００を任意の姿勢(任意の角度)で立たせることができる。本発明の実施の形態では、三つの溝２２が設けてあり、三つの姿勢（三つの角度）から任意の姿勢（角度）を選んでタブレット型ＰＣ１００を立たせることができる。溝２２は、基台部２と連設部３との境界となる境界線（折り畳み線）Ｏ１と平行に設けられ、どの溝２２を選択しても、支持板部５及びタブレット型ＰＣ１００が傾いたり、軋んだりすることはない。
【００３６】
図３に示すように、連接部３は、収容したタブレット型ＰＣ１００を内側にして基台部２と蓋部４とを二つ折りに折り畳んだ場合に、本の背表紙のようになる部分であり、基台部２の厚みにタブレット型ＰＣ１００の厚みを加えた厚みと同等以上の幅を有している。これにより、基台部２と連接部３との境界となる境界線（折り畳み線）Ｏ１と、連接部３と蓋部４との境界となる境界線（折り畳み線）Ｏ２とは平行となる。
【００３７】
蓋部４は、基台部２と略同一の大きさの矩形形状を有しており、収容したタブレット型ＰＣ１００を内側にして基台部２と蓋部４とを二つ折りに折り畳むと、蓋部４は、基台部２に重なることになる。
【００３８】
図１及び図２に示すように、支持板部５は、収容したタブレット型ＰＣ１００を支持するための板状の支持部材であり、剛性の高い材料、たとえば、プラスチックにより構成されている。支持板部５は、蓋部４と略同一の大きさの矩形形状を有しており、その中程から上側となる部分は、蓋部４の開放側となる部分の内側に接着されている。また、図４に示すように、支持板部５は、その下縁部にタブレット型ＰＣ１００の下側部分が嵌るホルダ５１が設けてある。ホルダ５１は、タブレット型ＰＣ１００の下縁部が嵌る下枠部分５１ａと、タブレット型ＰＣ１００の下側両側縁部が嵌る側枠部分５１ｂとを有しており、下側部分がホルダ５１に嵌められたタブレット型ＰＣ１００は、下枠部分５１ａと側枠部分５１ｂとに拘束され、下方および側方への移動が制限される。また、図１に示すように、支持板部５の上縁部、左隅と右隅とには、タブレット型ＰＣ１００の上縁角部分が嵌るコーナーホルダ５２がそれぞれ設けてある。下側部分がホルダ５１に嵌められ、さらに、上縁角部分がコーナーホルダ５２に嵌められたタブレット型ＰＣ１００は、コーナーホルダ５２に拘束され、上方への移動が制限される。これにより、収容されたタブレット型ＰＣ１００は、支持板部５と一体となる。
【００３９】
このように、タブレット型ＰＣ用ケース１に収容されたタブレット型ＰＣ１００と基台部（キーボード）２とは、有線、無線等既知の手段によって接続され、操作キー２１からタブレット型ＰＣ１００に信号が入力される。なお、有線接続の代表的な例は、ＵＳＢ(Universal Serial Bus)接続によるものであり、無線接続の代表的な例は、赤外線接続、ブルーツース（Bluetooth）接続によるものである。
【００４０】
また、図６に示すように、支持板部５の下縁を基台部２の上面に設けた溝２２に係止させた場合に、支持板部５の下縁を基台部２の上面が吸着するように、支持板部５の下縁部に永久磁石５３を設ける一方、基台部２の上面部に帯状の被吸着体（具体的には、磁性体２３）を設けている。帯状の磁性体２３は、支持板部５に設けた永久磁石５３と対向する位置であって、基台部２と連接部３との境界となる境界線（折り畳み線）Ｏ１と直交する方向に設けてあり、支持板部５の下縁を基台部２の上面のいずれに係止させた場合であっても、支持板部５の下縁部に設けた永久磁石５３を吸着する。磁性体２３は、たとえば、鉄である。
【００４１】
上述した本発明の実施の形態であるタブレット型ＰＣ用ケース１を用いて、タブレット型ＰＣ１００を持ち運ぶ場合には、図３に示すように、タブレット型ＰＣ用ケース１に収容したタブレット型ＰＣ１００を内側にして基台部２と蓋部４とを二つ折りに折り畳むことにより、タブレット型ＰＣ１００を保護する。
【００４２】
一方、上述した本発明の実施の形態であるタブレット型ＰＣ用ケース１を用いてタブレット型ＰＣ１００を用いる場合には、図１及び図２に示すように、蓋部４を開くとともに、中折線４１を境に蓋部４の開放側となる部分を折り返し、支持板部５の下縁を基台部２の上面に設けた溝２２に係止させる。すると、支持板部５の下縁部に設けた永久磁石５３が基台部２の上面部に設けた磁性体２３に吸着され、基台部２に対する支持板部５の姿勢が維持され、タブレット型ＰＣ１００の姿勢が維持される。
【００４３】
上述した本発明の実施の形態であるタブレット型ＰＣ用ケース１は、タブレット型ＰＣ１００を膝の上で使用する場合のように、タブレット型ＰＣ用ケース１が後ろ下がりとなる場合でもタブレット型ＰＣ１００の姿勢が維持されることになり、タブレット型ＰＣ１００が倒れることもなければ、タブレット型ＰＣが落下することもない。
【００４４】
上述した本発明の実施の形態では、タブレット型ＰＣ１００を収容するタブレット型ＰＣ用ケース１を例に、電子機器用ケースおよびキーボード装置を説明したが、電子機器はタブレット型ＰＣに限られるものではない。
【００４５】
また、上述した本発明の実施の形態では、基台部２の上面奥側に支持板部５の下縁を係止する溝２２を基台部２の左側縁から右側縁にわたり設けた例を示したが、左側縁から右側縁にわたるものでなくてもよく、支持板部５の下縁を係止するに足りるものであればよい。また、支持板部５の下縁を係止するものであれば溝２２に限られるものではなく、たとえば、基台部２の上面から上方に向けて突出する突起であってもよい。さらに、溝２２や突起を設けることなく、任意の位置で止まるようにしてもよい。
【００４６】
また、上述した本発明の実施の形態では、支持板部５の下縁部に永久磁石５３を設ける一方、基台部２の上面部に帯状の磁性体２３を設けることにしたが、支持板部５の下縁部または基台部２の上面部のいずれか一方に永久磁石を設ける一方、いずれか他方に永久磁石に吸着される被吸着体を設けるものであればよい。また、磁性体２３は、鉄に限られるものではなく、永久磁石であってもよい。なお、支持板部５の下縁部と基台部２の上面とに永久磁石を設ければ、支持板部５は任意の姿勢（任意の角度）に保持される。
【００４７】
また、永久磁石５３は、支持板部５の下縁部に内包させるものであってもよいが、その吸着面が下縁部から露出するものであってもよい。同様に、磁性体２３は、基台部２の上面部に内包されるものであってもよいが、その表面が溝２２から露出するものであってもよい。
【００４８】
また、タブレット型ＰＣを収容したタブレット型ＰＣ用ケース１を例に、電子機器用ケース及びキーボード装置を説明したが、操作キーが設けられたキーボードと、キーボードに対して折り畳み可能に設けられた連接部と、連接部に対して折り畳み可能に設けられ、かつその中程に中折線が設けられた蓋部と、蓋部の内側に設けられた表示部とを備え、表示部を立たせる場合には、中折線を境に蓋部の開放側となる部分を外側に折り返し、表示部の下縁をキーボードの上面に係止させる電子機器（たとえば、ノート型パソコン）にも適用可能である。このような電子機器では、表示部の下縁をキーボードの上面が吸着するように、表示部の下縁部またはキーボードの上面部のいずれ一方に永久磁石を設ける一方、いずれか他方に磁性体を設けることになる。なお、このように、電子機器を構成した場合にも、上述したタブレット型ＰＣ用ケースと同様な構成を採用することが可能である。すなわち、表示部の下縁部に永久磁石を設ける一方、キーボードの上面部に磁性体を設けること、磁性体がキーボードと連接部の境界となる境界線と直交する帯状であること、磁性体が鉄であること、キーボードの上面に表示部の下縁が係止される溝を形成したこと、溝を複数も受けたこと、等の構成を採用することが可能である。
【符号の説明】
【００４９】
１    タブレット型ＰＣ用ケース(電子機器用ケース，キーボード装置)
２    基台部（キーボード）
２１    操作キー
２２    溝
２３    磁性体（鉄）
３    連接部
４    蓋部
４１    中折線
５    支持板部
５１    ホルダ
５１ａ    下枠部分
５１ｂ    側枠部分
５２    コーナーホルダ
５３    永久磁石
１００    タブレット型ＰＣ（電子機器）
【図１】
0005507503.tif 000002
【図２】
0005507503.tif 000003
【図３】
0005507503.tif 000004
【図４】
0005507503.tif 000005
【図５】
0005507503.tif 000006
【図６】
0005507503.tif 000007